(57)【要約】【課題】鑑賞者の呼吸周期に対するコンテンツの影響を評価する影響評価装置等を提供することを目的とする。【解決手段】影響評価装置は、呼吸分布付きコンテンツの第１呼吸目標情報に対し、N個のシフト操作量に応じてシフト操作を行い、N個の第n呼吸分布情報を作成し、コンテンツ情報と対応付けて、N個の第n呼吸分布付きコンテンツを作成する呼吸分布シフト作成部と、各第n呼吸分布付きコンテンツが含む各再生位置にそれぞれ対応するコンテンツ情報を順次再生するための再生情報を出力するコンテンツ再生制御部と、各第n呼吸分布付きコンテンツに含まれるコンテンツ情報の鑑賞者を計測して得られる呼吸情報に基づき算出される呼吸周期の平均である平均呼吸周期を各第n呼吸分布付きコンテンツについて求め、シフト操作に対する平均呼吸周期の変動の大きさを鑑賞者のコンテンツ情報に対する感度の指標として求める呼吸感度測定部とを含む。【選択図】図１
2019105689.tif 000002
【特許請求の範囲】
【請求項１】
時間軸に沿った各再生位置にそれぞれ対応するコンテンツ情報と、少なくとも一部の前記再生位置に対応する、前記時間軸に沿った第１呼吸目標設定位置に対して定められた呼吸状態を特定する第１呼吸目標情報と、を含む、呼吸分布付きコンテンツの第１呼吸目標情報に対し、N個のシフト操作量に応じてシフト操作を行い、N個の第n呼吸分布情報を作成し、前記コンテンツ情報と対応付けて、N個の第n呼吸分布付きコンテンツを作成する呼吸分布シフト作成部と、
各前記第n呼吸分布付きコンテンツが含む各再生位置にそれぞれ対応する前記コンテンツ情報を順次再生するための再生情報を出力するコンテンツ再生制御部と、
各前記第n呼吸分布付きコンテンツに含まれるコンテンツ情報の鑑賞者を計測して得られる呼吸情報に基づき算出される呼吸周期の平均である平均呼吸周期を各前記第n呼吸分布付きコンテンツについて求め、シフト操作に対する平均呼吸周期の変動の大きさを鑑賞者の前記コンテンツ情報に対する感度の指標として求める呼吸感度測定部とを含む、
影響評価装置。
【請求項２】
時間軸に沿った各再生位置にそれぞれ対応するコンテンツ情報と、少なくとも一部の前記再生位置に対応する、前記時間軸に沿った第１呼吸目標設定位置に対して定められた呼吸状態を特定する第１呼吸目標情報と、を含む、呼吸分布付きコンテンツの第１呼吸目標情報に対し、N個のシフト操作量に応じてシフト操作を行い、N個の第n呼吸分布情報を作成し、前記コンテンツ情報と対応付けて、N個の第n呼吸分布付きコンテンツを作成する呼吸分布シフト作成部と、
各前記第n呼吸分布付きコンテンツが含む各再生位置にそれぞれ対応する前記コンテンツ情報を順次再生するための再生情報を出力するコンテンツ再生制御部と、
各前記第n呼吸分布付きコンテンツに含まれるコンテンツ情報の鑑賞者を計測して得られる呼吸情報に基づき算出される呼吸周期の平均である平均呼吸周期を各前記第n呼吸分布付きコンテンツについて求め、最大または最小の平均呼吸周期となる第n呼吸分布付きコンテンツに対応する値を求める呼吸分布選定部とを含む、
影響評価装置。
【請求項３】
請求項２の影響評価装置で求めた最大または最小の平均呼吸周期となる第n呼吸分布付きコンテンツに対応する値を用いる呼吸誘導装置であって、
前記第１呼吸目標情報に対し、最大または最小の平均呼吸周期となる第n呼吸分布付きコンテンツに対応するシフト操作量に応じてシフト操作を行い、第m呼吸分布情報を作成し、前記コンテンツ情報と対応付けて、第m呼吸分布付きコンテンツを作成する第二呼吸分布シフト作成部と、
前記第m呼吸分布付きコンテンツが含む各再生位置にそれぞれ対応する前記コンテンツ情報を順次再生するための再生情報を出力する第二コンテンツ再生制御部とを含む、
呼吸誘導装置。
【請求項４】
請求項３の呼吸誘導装置であって、
mq=1q,2q,…,Mqであり、qは繰り返し回数を示すインデックスであり、Mqは1以上の整数の何れかであり、
前記第二呼吸分布シフト作成部は、前記第１呼吸目標情報に対し、最大または最小の平均呼吸周期となる第mq-1呼吸分布付きコンテンツに対応するシフト操作量の近傍のMq個の値をシフト操作量としてシフト操作を行い、Mq個の第mq呼吸分布情報を作成し、前記コンテンツ情報と対応付けて、Mq個の第mq呼吸分布付きコンテンツを作成し、
前記第二コンテンツ再生制御部は、各前記第mq呼吸分布付きコンテンツが含む各再生位置にそれぞれ対応する前記コンテンツ情報を順次再生するための再生情報を出力し、
各前記第mq呼吸分布付きコンテンツに含まれるコンテンツ情報の鑑賞者を計測して得られる呼吸情報に基づき算出される呼吸周期の平均である平均呼吸周期を各前記第mq呼吸分布付きコンテンツについて求め、最大または最小の平均呼吸周期となる第mq呼吸分布付きコンテンツに対応する値を求める第二呼吸分布選定部を含み、
前記第二呼吸分布シフト作成部、前記第二コンテンツ再生制御部及び前記第二呼吸分布選定部における処理を1回以上行う、
呼吸誘導装置。
【請求項５】
請求項４の呼吸誘導装置であって、
所定の時間が経過する度に、請求項２の影響評価装置で最大または最小の平均呼吸周期となる第n呼吸分布付きコンテンツに対応する値を求め、繰り返し回数qを初期化する、
呼吸誘導装置。
【請求項６】
影響評価装置が行う影響評価方法であって、
時間軸に沿った各再生位置にそれぞれ対応するコンテンツ情報と、少なくとも一部の前記再生位置に対応する、前記時間軸に沿った第１呼吸目標設定位置に対して定められた呼吸状態を特定する第１呼吸目標情報と、を含む、呼吸分布付きコンテンツの第１呼吸目標情報に対し、N個のシフト操作量に応じてシフト操作を行い、N個の第n呼吸分布情報を作成し、前記コンテンツ情報と対応付けて、N個の第n呼吸分布付きコンテンツを作成する呼吸分布シフト作成ステップと、
各前記第n呼吸分布付きコンテンツが含む各再生位置にそれぞれ対応する前記コンテンツ情報を順次再生するための再生情報を出力するコンテンツ再生制御ステップと、
各前記第n呼吸分布付きコンテンツに含まれるコンテンツ情報の鑑賞者を計測して得られる呼吸情報に基づき算出される呼吸周期の平均である平均呼吸周期を各前記第n呼吸分布付きコンテンツについて求め、シフト操作に対する平均呼吸周期の変動の大きさを鑑賞者の前記コンテンツ情報に対する感度の指標として求める呼吸感度測定ステップとを含む、
影響評価方法。
【請求項７】
影響評価装置が行う影響評価方法であって、
時間軸に沿った各再生位置にそれぞれ対応するコンテンツ情報と、少なくとも一部の前記再生位置に対応する、前記時間軸に沿った第１呼吸目標設定位置に対して定められた呼吸状態を特定する第１呼吸目標情報と、を含む、呼吸分布付きコンテンツの第１呼吸目標情報に対し、N個のシフト操作量に応じてシフト操作を行い、N個の第n呼吸分布情報を作成し、前記コンテンツ情報と対応付けて、N個の第n呼吸分布付きコンテンツを作成する呼吸分布シフト作成ステップと、
各前記第n呼吸分布付きコンテンツが含む各再生位置にそれぞれ対応する前記コンテンツ情報を順次再生するための再生情報を出力するコンテンツ再生制御ステップと、
各前記第n呼吸分布付きコンテンツに含まれるコンテンツ情報の鑑賞者を計測して得られる呼吸情報に基づき算出される呼吸周期の平均である平均呼吸周期を各前記第n呼吸分布付きコンテンツについて求め、最大または最小の平均呼吸周期となる第n呼吸分布付きコンテンツに対応する値を求める呼吸分布選定ステップとを含む、
影響評価方法。
【請求項８】
請求項１若しくは請求項２の影響評価装置、または、請求項３から請求項５の何れかの呼吸誘導装置としてコンピュータを機能させるためのプログラム。
【発明の詳細な説明】
【技術分野】
【０００１】
本発明は、コンテンツの再生技術に関し、特に、鑑賞者に対するコンテンツの影響を評価する技術、評価結果を用いて鑑賞者の呼吸周期が長く、あるいは短くなるように誘導する技術に関する。
【背景技術】
【０００２】
音楽コンテンツなどの時間軸に沿って進行するコンテンツのテンポに基づいて鑑賞者の呼吸テンポが誘導される（呼吸が引き込まれる）という報告がなされている（例えば、非特許文献１，２等参照）。このコンテンツに呼吸が引き込まれる現象を利用し、例えば、音楽テンポに基づいて鑑賞者の呼吸を誘導する発明や商品開発が行われている。例えば、非特許文献３に開示された装置では、ある目標とする呼吸テンポに誘導、あるいは収束させることを目的として、呈示音の時間長を変化させている。
【先行技術文献】
【非特許文献】
【０００３】
【非特許文献１】F. HAAS, S. Distenfeld and K. Axen, “Effects of perceived musical rhythm on respiratory pattern,” J. Appl Physiol, 1986, 61, pp. 1185-1191
【非特許文献２】中村敏枝, “音楽における「間」と呼吸について,” 日本音響学会音楽音響研究会資料, 1994, MA94, 16
【非特許文献３】"RESPeRATE TO LOWER BLOOD PRESSURE", [online], [平成23年2月25日検索], インターネット<http://www.resperate.com/us/discover/resperatedemo>
【発明の概要】
【発明が解決しようとする課題】
【０００４】
しかしながら、非特許文献３はユーザー個々人の呼吸がどのように音に引き込まれるかまったく考慮されておらず、ユーザーが意識的に呼吸を音に合わせないと高い効果が得られないという課題がある。また、参考文献１では、呼吸の引き込みは音楽家ほど高いなどユーザーの特性による違いが予見されているが、ユーザーの呼吸がどの程度音楽に反応する感度を持つかを測定する手段は知られていない。
（参考文献１）Bernardi, L.; Porta, C. & Sleight, P., "Cardiovascular, cerebrovascular, and respiratory changes induced by different types of musics in musicians and non-musicians: the importance of silence", Heart, 2006, 92, pp.445-452
【０００５】
他方、参考文献２では呼吸に合わせて音楽を再生する方法は知られているが、どのように呼吸周期を誘導するかは知られていない。
（参考文献２）特開２０１１−５９４１９号公報
【０００６】
本発明は、鑑賞者の呼吸周期に対するコンテンツの影響を評価する影響評価装置、評価結果を用いて鑑賞者の呼吸周期が長く、あるいは短くなるように誘導する呼吸誘導装置、影響評価方法、及びそれらのプログラムを提供することを目的とする。
【課題を解決するための手段】
【０００７】
上記の課題を解決するために、本発明の一態様によれば、影響評価装置は、時間軸に沿った各再生位置にそれぞれ対応するコンテンツ情報と、少なくとも一部の再生位置に対応する、時間軸に沿った第１呼吸目標設定位置に対して定められた呼吸状態を特定する第１呼吸目標情報と、を含む、呼吸分布付きコンテンツの第１呼吸目標情報に対し、N個のシフト操作量に応じてシフト操作を行い、N個の第n呼吸分布情報を作成し、コンテンツ情報と対応付けて、N個の第n呼吸分布付きコンテンツを作成する呼吸分布シフト作成部と、各第n呼吸分布付きコンテンツが含む各再生位置にそれぞれ対応するコンテンツ情報を順次再生するための再生情報を出力するコンテンツ再生制御部と、各第n呼吸分布付きコンテンツに含まれるコンテンツ情報の鑑賞者を計測して得られる呼吸情報に基づき算出される呼吸周期の平均である平均呼吸周期を各第n呼吸分布付きコンテンツについて求め、シフト操作に対する平均呼吸周期の変動の大きさを鑑賞者のコンテンツ情報に対する感度の指標として求める呼吸感度測定部とを含む。
【０００８】
上記の課題を解決するために、本発明の他の態様によれば、影響評価方法は影響評価装置が行うものであり、影響評価方法は、時間軸に沿った各再生位置にそれぞれ対応するコンテンツ情報と、少なくとも一部の再生位置に対応する、時間軸に沿った第１呼吸目標設定位置に対して定められた呼吸状態を特定する第１呼吸目標情報と、を含む、呼吸分布付きコンテンツの第１呼吸目標情報に対し、N個のシフト操作量に応じてシフト操作を行い、N個の第n呼吸分布情報を作成し、コンテンツ情報と対応付けて、N個の第n呼吸分布付きコンテンツを作成する呼吸分布シフト作成ステップと、各第n呼吸分布付きコンテンツが含む各再生位置にそれぞれ対応するコンテンツ情報を順次再生するための再生情報を出力するコンテンツ再生制御ステップと、各第n呼吸分布付きコンテンツに含まれるコンテンツ情報の鑑賞者を計測して得られる呼吸情報に基づき算出される呼吸周期の平均である平均呼吸周期を各第n呼吸分布付きコンテンツについて求め、シフト操作に対する平均呼吸周期の変動の大きさを鑑賞者のコンテンツ情報に対する感度の指標として求める呼吸感度測定ステップとを含む。
【発明の効果】
【０００９】
本発明によれば、鑑賞者の呼吸周期に対するコンテンツの影響を評価することができるという効果を奏する。
【図面の簡単な説明】
【００１０】
【図１】第一実施形態に係る影響評価装置の機能ブロック図。
【図２】第一実施形態に係る影響評価装置の処理フローの例を示す図。
【図３】呼吸分布付きコンテンツの例を示す図。
【図４】図４Ａは呼吸指標抽出部が算出する呼吸指標の例を説明するための図、図４Ｂは呼吸指標と呼吸目標情報との関係を例示する図。
【図５】第二実施形態を適用した場合の実験結果を示す図。
【図６】第二実施形態に係る影響評価装置の機能ブロック図。
【図７】第二実施形態に係る影響評価装置の処理フローの例を示す図。
【図８】第三実施形態に係る影響評価装置の機能ブロック図。
【図９】第三実施形態に係る影響評価装置の処理フローの例を示す図。
【図１０】第四実施形態に係る影響評価装置の機能ブロック図。
【図１１】第四実施形態に係る影響評価装置の処理フローの例を示す図。
【発明を実施するための形態】
【００１１】
以下、本発明の実施形態について、説明する。なお、以下の説明に用いる図面では、同じ機能を持つ構成部や同じ処理を行うステップには同一の符号を記し、重複説明を省略する。以下の説明において、ベクトルや行列の各要素単位で行われる処理は、特に断りが無い限り、そのベクトルやその行列の全ての要素に対して適用されるものとする。
【００１２】
〔用語の定義〕
以下のように用語を定義する。
【００１３】
コンテンツ：音楽、音声若しくは朗読、又は、演劇、映画若しくはテレビ番組その他の動画など、鑑賞目的のための音響情報や映像情報を意味する。
【００１４】
コンテンツ情報：コンテンツを構成し、時間軸に沿って順次再生される情報を意味する。
【００１５】
再生位置：時間軸に沿って順次再生される各コンテンツ情報の再生位置、つまり、コンテンツ再生における時間軸上の進行位置を意味する。より具体的には、例えば、フレーム位置、サンプル点、タイムコード、ソングポジションポインターなどが再生位置に対応する。
【００１６】
呼吸目標設定位置：少なくとも一部の再生位置を意味する。
【００１７】
呼吸状態：周期的に行われる呼吸運動中の各状態を意味する。より具体的には、例えば、呼気運動を開始する時点の状態である呼気開始状態、呼気運動中の各時点での呼気状態、呼気運動を終了する時点の状態である呼気終了状態、吸気運動を開始する時点の状態である吸気開始状態、吸気運動中の各時点での吸気状態、吸気運動を終了する時点の状態である吸気終了状態などが呼吸状態に対応する。
【００１８】
基準状態：所定の呼吸状態を意味する。例えば、呼気開始状態、呼気終了状態、吸気開始状態、吸気終了状態などが基準状態に対応する。
【００１９】
呼吸基準位置：呼吸状態が特定の基準状態となる時間軸上の位置を意味する。
【００２０】
呼吸情報：コンテンツを鑑賞する鑑賞者やコンテンツを演奏又は演ずる演者の呼吸状態を計測して得られる情報を意味する。より具体的には、例えば、胸部回りや腹部回りの長さ、呼吸の気流量、呼気と吸気の温度差などを意味する。
【００２１】
再生速度：ある再生位置Ａのコンテンツ情報を再生してから次の再生位置Ｂのコンテンツ情報を再生するまでに要する時間の逆数を意味する。再生テンポやクロック間隔などに読み替え可能な概念である。
【００２２】
＜第一実施形態＞
図１は第一実施形態に係る影響評価装置の機能ブロック図を、図２はその処理フローを示す。
【００２３】
影響評価装置は、記憶部２と、入力部１１と、呼吸分布シフト作成部３と、記憶部１２と、呼吸計測部１３と、呼吸指標抽出部１４と、再生速度演算部１５と、コンテンツ再生制御部１６と、再生部１７と、制御部１９と、呼吸感度測定部４とを含む。
【００２４】
影響評価装置は、例えば、中央演算処理装置（CPU: Central Processing Unit）、主記憶装置（RAM: Random Access Memory）などを有する公知又は専用のコンピュータに特別なプログラムが読み込まれて構成された特別な装置である。影響評価装置は、例えば、中央演算処理装置の制御のもとで各処理を実行する。影響評価装置に入力されたデータや各処理で得られたデータは、例えば、主記憶装置に格納され、主記憶装置に格納されたデータは必要に応じて中央演算処理装置へ読み出されて他の処理に利用される。影響評価装置の各処理部は、少なくとも一部が集積回路等のハードウェアによって構成されていてもよい。影響評価装置が備える各記憶部は、例えば、RAM（Random Access Memory）などの主記憶装置、ハードディスクや光ディスクもしくはフラッシュメモリ（Flash Memory）のような半導体メモリ素子により構成される補助記憶装置、またはリレーショナルデータベースやキーバリューストアなどのミドルウェアにより構成することができる。
【００２５】
影響評価装置は、鑑賞者にコンテンツを再生して提示し、コンテンツを鑑賞している鑑賞者から得られる呼吸に関する情報と、呼吸分布付きコンテンツとを入力とし、コンテンツの鑑賞者のコンテンツに対する感度を評価し、評価結果を感度指標として出力する。なお、影響評価装置は、鑑賞者の呼吸に対するコンテンツの影響を評価しているとも言える。
【００２６】
［入力部１１］
入力部１１は、呼吸分布付きコンテンツ１２ａの入力を受け付ける機能部であり、入力部１１の例は、入力ポート、入力インタフェース、読み出し装置、受信装置などである。
【００２７】
入力部１１に呼吸分布付きコンテンツ１２ａが入力され、呼吸分布シフト作成部３に出力する。
【００２８】
［呼吸分布付きコンテンツ１２ａ］
本形態の呼吸分布付きコンテンツ１２ａは、時間軸に沿った各再生位置にそれぞれ対応するコンテンツ情報と、少なくとも一部の再生位置に対応する位置（例えば、当該再生位置や当該再生位置と特定の関係にある位置など）である各呼吸目標設定位置に対して予め定められた呼吸状態を特定するための呼吸目標情報とを含むデータ構造からなるデータである。なお、呼吸目標情報は、周期的な呼吸運動の位相に対応する情報である。
【００２９】
例えば、図３に例示する呼吸分布付きコンテンツ１２ａは、時間軸に沿った各サンプル点τ（再生位置）にそれぞれ対応する音程や音の強さを示すＭＩＤＩデータであるコンテンツ情報d(τ)と、すべてのサンプル点τ（呼吸目標設定位置）に対して定められた、各サンプル点τにおいて望ましい「周期的な呼吸運動の位相」を特定するための情報Φ(τ)（呼吸目標情報）とを含むデータ構造からなるデータである。なお、本形態の呼吸目標情報Φ(τ)の具体例については後述する。呼吸分布付きコンテンツ１２ａは、さらに同期重要度α(τ)を含むデータ構造からなるデータであってもよい。
【００３０】
なお、簡単のため、呼吸分布付きコンテンツ１２ａのコンテンツは後述する再生速度の変更を行わない場合に平均的な呼吸周期(3s〜6s)と近い周期Τ(2s〜8sの中で定めることが望ましい)で同じ内容が繰り返されるコンテンツであり、呼吸目標情報Φ(τ)も同じ周期Τで（周期的に現れる同じコンテンツ情報に対応する呼吸目標情報Φ(τ)が同じ値になるように）設定されているとして説明を行う。
【００３１】
［呼吸分布シフト作成部３］
呼吸分布シフト作成部３は、呼吸分布付きコンテンツ１２ａを入力とし、呼吸分布付きコンテンツ１２ａに含まれる呼吸目標情報Φ(τ)（以下、第１呼吸目標情報ともいう）に対し、N個のシフト操作量γnに応じて、シフト操作を行い（例えば、Φ1(τ)=Φ(τ-γ1),Φ2(τ)=Φ(τ-γ2), …, Φn(τ)=Φ(τ-γn), …,ΦN(τ)=Φ(τ-γN)となるシフト操作）、N個のあらたな呼吸分布情報（それぞれ第n呼吸分布情報とし、n=1,2,…,N）Φn(τ)を作成し、呼吸分布付きコンテンツ１２ａに含まれる同じコンテンツ情報にひも付け、記憶部１２に格納する。ただし、N個の呼吸分布情報Φn(τ)とコンテンツ情報とは、それぞれを独立したものとし、第n呼吸分布情報Φn(τ)とコンテンツ情報とをひも付けたデータ構造を第n呼吸分布付きコンテンツ１２ａ−ｎともいう。なお、Nは2以上の整数の何れかであり、例えば、6〜8が望ましい。
【００３２】
このとき、各シフト操作量γnの値は呼吸分布付きコンテンツのコンテンツと呼吸目標情報Φ(τ)の関係が周期Τを上限として網羅的にずれるように設定されるのが良い。例えばγn=(n-1)* Τ/Nと設定すればよい。
【００３３】
また、呼吸分布付きコンテンツ１２ａとして同期重要度を含む場合には、呼吸目標情報と同様のシフト操作を行って取り扱えば良い。なお、同期重要度を用いた処理内容は、従来技術と同様であるため、説明を省略する。例えば、参考文献３の技術を適用することができる。
（参考文献３）特開２０１２−１９０４９２号公報
【００３４】
［記憶部１２］
記憶部１２は、磁気記録装置、光ディスク、光磁気記録媒体、半導体メモリなどの情報記憶装置である。記憶部１２は、呼吸分布シフト作成部３で作成されたN個の第n呼吸分布付きコンテンツ１２ａ−ｎを格納する。なお、第n呼吸分布付きコンテンツ１２ａ−ｎは、少なくとも一部の再生位置にそれぞれ対応する係数である第１同期重要度をさらに含むデータ構造であってもよい。例えば、図３の呼吸分布付きコンテンツ１２ａと同じように、第n呼吸分布付きコンテンツ１２ａ−ｎは、各サンプル点τ（再生位置）にそれぞれ対応するコンテンツ情報d(τ)と、各サンプル点τ（第１呼吸目標設定位置）に対して定められた呼吸運動にそれぞれ対応する位相に対応する第n呼吸分布情報Φn（τ）と、各サンプル点τにそれぞれ対応する係数である第n同期重要度αn（τ）とを含むデータ構造である。
【００３５】
第一実施形態では、入力部１１、及び、呼吸分布シフト作成部３による処理を事前に１回行って、呼吸分布シフト作成部３の出力を記憶部１２に記憶しておけばよい。
【００３６】
［呼吸計測部１３］
呼吸計測部１３は、コンテンツの鑑賞者１００の呼吸状態を計測し、それによって得られる呼吸情報を出力する周知の装置である。本形態の例では、胸部回りや腹部回りの長さに対応する情報（呼吸レベル）を呼吸情報とし、胸部や腹部に巻き付けられたゴム管の抵抗変化から呼吸を検出する装置（例えば、日本光電製のTR-753Tや、ADInstruments製のMLT1132）を呼吸計測部１３とする。この例の呼吸計測部１３は、設定されたある任意の周期で呼吸レベルV(t)を計測して出力する。なお、tは離散的な時刻に対応する整数インデックスであり、「時刻t」とは整数インデックスtに対応する時刻を意味する。また、簡単のためにtは周期Tで1ずつ進行するとして説明を行う。また、V(t)は時刻tでの呼吸レベルを表す。
【００３７】
鑑賞者１００に取り付けられた呼吸計測部１３が周期Tで鑑賞者１００の呼吸状態を計測し、それによって得られた呼吸情報である呼吸レベルV(t1), V(t1-1), V(t1-2),...を出力する。t1は現在の時刻を表す。
【００３８】
［呼吸指標抽出部１４］
呼吸指標抽出部１４は、例えば、ＣＰＵに所定のプログラムが読み込まれることで構成される処理部である。呼吸指標抽出部１４は、呼吸情報(本実施形態では呼吸レベルV(t1), V(t1-1), V(t1-2),...)を入力とし、鑑賞者を計測して得られる呼吸情報から当該鑑賞者の周期的な呼吸運動の位相に対応する情報である呼吸指標φ(t)を抽出し、当該呼吸指標を出力する。
【００３９】
図４Ａは、本実施形態の呼吸指標抽出部１４が算出する呼吸指標の例を説明するための図である。
【００４０】
どのような値を「鑑賞者の周期的な呼吸運動の位相に対応する情報」として用いるかについては特に制限はない。例えば、呼吸レベルV(t)を１次元値とし、その遅延値V(t-Γ)を２次元値としたベクトルを「鑑賞者の周期的な呼吸運動の位相に対応する情報」としてもよいし、呼吸レベルV(t)を１次元値とし、その遅延値V(t-Γ)を２次元値とした直交座標系の空間（相空間）での極座標の偏角を「鑑賞者の周期的な呼吸運動の位相に対応する情報」としてもよい。
【００４１】
以下では呼吸レベルV(t)を１次元値とし、その遅延値V(t-Γ)を２次元値とした直交座標系の空間（相空間）での極座標の偏角を「鑑賞者の周期的な呼吸運動の位相に対応する情報（呼吸指標φ(t)）」として用いる。この場合の呼吸指標抽出部１４が時刻tに対応する処理は、例えば以下のようになる。
【００４２】
１．呼吸計測部１３から出力された時刻tにおける呼吸レベルV(t)を相空間の１次元値とする。
【００４３】
２．呼吸レベルV(t)を時間遅延フィルターに通して得られる呼吸レベルV(t-Γ)を相空間の２次元目の値とする。ここでΓは時間遅延フィルターの遅延幅（定数）であり、呼吸の場合は200msから800ms程度が望ましい。
【００４４】
３．相空間の直交座標系の点（V(t)，V(t-Γ)）を極座標表示した場合の偏角を、呼吸指標φ(t)として求めて出力する（図４Ａ参照）。
【００４５】
なお、このような値を呼吸指標φ(t)とする場合、予め定められた各サンプル点τにおいて望ましい呼吸指標φ(t)が、当該サンプル点τに対応する呼吸目標情報Φ(τ)（図３参照）として呼吸分布付きコンテンツ１２ａに設定されている。さらに、本実施形態では呼吸指標抽出部１４は、鑑賞者の呼吸周期を算出し、呼吸周期を記憶部２に格納する。呼吸周期は例えば呼吸レベルV(t)のピークから次のピークまでの間隔、または呼吸指標φ(t)が同じ値となる（例えば0）となる時刻の間隔を測ることによって得られる。なお、呼吸周期は、呼吸情報(本実施形態では呼吸レベルV(t1), V(t1-1), V(t1-2),...)、または、呼吸情報から得られる呼吸指標φ(t)から算出することができ、何れの場合も呼吸情報に基づき算出される情報と言える。
【００４６】
［再生速度演算部１５］
再生速度演算部１５は、例えば、ＣＰＵに所定のプログラムが読み込まれることで構成される処理部である。再生速度演算部１５は、N個の第n呼吸分布付きコンテンツ１２ａ−ｎにそれぞれ含まれるN個の第n呼吸分布情報Φn(τ)を記憶部１２から取り出し、呼吸指標φ(t)を入力とし、何れかの呼吸目標設定位置に対応する第n呼吸分布情報Φn(τ)によって特定される位相と、当該呼吸目標設定位置に対応するコンテンツ情報が再生される時点での呼吸指標によって特定される位相との差が小さくなるような再生速度を特定する再生速度情報(例えばサンプル更新間隔S(t))を求め、出力する。
【００４７】
図３は、第一実施形態の再生速度演算部１５の処理機能を例示するための図である。なお、図３ではΦnをΦとし、αnをαとして表現している。
【００４８】
本形態の再生速度演算部１５は、サンプル更新間隔を定めることでコンテンツの再生速度を設定する。また、本形態の再生速度演算部１５は、呼吸計測部１３で呼吸レベルV(t)が得られるたびに、すなわち、周期Tでサンプル更新間隔S(t)を定め、これを再生速度情報として出力する。
【００４９】
時刻t=t1の時点で、サンプル点τ=p(t1)に対応するコンテンツ情報d(p(t1))までの再生が終了しているとする。このとき呼吸分布付きコンテンツ１２ａに含まれるサンプル点τ=p(t1)に対応する第n呼吸分布情報がΦn(p(t1))であり、時刻t=t1の時点で呼吸指標抽出部１４から出力された呼吸指標（鑑賞者の周期的な呼吸運動の位相に対応する情報）がφ(t1)であったとする。再生速度演算部１５は、これらの呼吸指標φ(t1)と呼吸分布情報Φn(p(t1))とを入力とし、これらが図４Ａの相空間上でなす角を以下のように符号付きで求める。なお、図４ＢではΦnをΦとして表現している。
【００５０】
R(t1)=φ(t1)-Φn(p(t1))    (4）
If |R(t1)|>π  then  L(t1)=R(t1)-Sgn(R(t1))・2π  else L(t1)=R(t1)    (5）
ただし、Sgn(δ)は符号関数であり、その関数値は、δ<0のときはSgn(δ)=-1となり、δ=0のときはSgn(δ)=0となり、δ>0のときはSgn(δ)=1となる。L(t1)>0の場合、時刻t1において鑑賞者の呼吸が呼吸分布情報の示す呼吸より進んでいることになり、L(t1)<0の場合、時刻t1において鑑賞者の呼吸が呼吸分布情報の示す呼吸より遅れていることになる。図４Ｂに、呼吸指標φ(t1)と呼吸分布情報Φn(p(t1))とL(t1)との関係を例示する。なお、図４ＢはL(t1)<0の例である。
【００５１】
そして、再生速度演算部１５は、時刻t1でのサンプル更新間隔S(t1)を以下のように算出し、これを再生速度情報として出力する。
【００５２】
S(t1)=S0/{α(p(t1))・C・L(t1)+1}    (6）
ここで、S0は予め定められたサンプル更新間隔の標準設定値であり、CはC>0を満たす任意の定数である。例えば、取り得るすべてのα(τ)，L(t)に対してα(p(t))・C・L(t)+1>0となるように定数Cが定められた場合、再生速度演算部１５は、鑑賞者の呼吸が呼吸分布情報の示す呼吸より進んでいる場合（L(t1)>0）に、S0よりも大きなサンプル更新間隔S(t1)を算出し、鑑賞者の呼吸が呼吸分布情報の示す呼吸に同期している場合（L(t1)=0）に、S0と等しいサンプル更新間隔S(t1)を算出し、鑑賞者の呼吸が呼吸分布情報の示す呼吸より遅れている場合（L(t1)<0）に、S0よりも小さなサンプル更新間隔S(t1)を算出する。
【００５３】
［コンテンツ再生制御部１６］
コンテンツ再生制御部１６は、例えば、ＣＰＵに所定のプログラムが読み込まれることで構成される処理部である。コンテンツ再生制御部１６は、再生速度情報とコンテンツ情報とを入力とし、当該再生速度情報で特定される再生速度で各再生位置にそれぞれ対応する各コンテンツ情報を順次再生するための再生情報を出力する。
【００５４】
コンテンツ再生制御部１６は、再生速度演算部１５から出力されたサンプル更新間隔S(t1)と、記憶部１２に格納された第n呼吸分布付きコンテンツ１２ａ−ｎから抽出されたコンテンツ情報d(τ)とを入力とし、サンプル更新間隔S(t1)で再生対象のサンプル点τを更新しつつ再生対象のサンプル点τに対応するコンテンツ情報d(τ)を再生するための再生情報r(τ)を順次出力する。
【００５５】
［再生部１７］
再生部１７は、例えば、アンプ、スピーカー、画像表示装置などから構成される周知の呈示装置である。再生部１７は、コンテンツ再生制御部１６から出力された再生情報r(τ)を入力とし、再生情報r(τ)によって特定される音響情報等のコンテンツを出力する。
【００５６】
［記憶部２］
記憶部２には、再生時において、呼吸指標抽出部１４より出力される呼吸周期と、再生する際に使用された第n呼吸分布付きコンテンツ１２ａ−ｎを作成する際に用いたシフト操作量γnとが対応付けられて保存される。例えば、呼吸分布シフト作成部３によってN個の異なる第n呼吸分布情報Φn(τ)が作成されるが、第n呼吸分布付きコンテンツ１２ａ−ｎを使って再生した際に得られた呼吸周期をnと対応付けて保存すれば、シフト操作量γnと対応付けることが可能である。なお、シフト操作量γnそのものを第n呼吸分布付きコンテンツ１２ａ−ｎと対応付けて記憶部２にあらかじめ保存しておき、シフト操作量γnと直接対応付けて記憶部２に保存してももちろんよい。
【００５７】
［呼吸感度測定部４］
呼吸感度測定部４は、記憶部２よりN個の第n呼吸分布付きコンテンツ１２ａ−ｎを再生した際の呼吸周期を取り出し、第n呼吸分布付きコンテンツ１２ａ−ｎ毎に呼吸周期の平均(平均呼吸周期)を求める。さらに、呼吸感度測定部４は、この平均呼吸周期の変動の大きさを鑑賞者１００のコンテンツ情報に対する感度の指標として求める。例えば、呼吸感度測定部４は、平均呼吸周期がシフト操作に応じてどの程度変動したのかを求め、（図５参照、説明は後述を参照）、その変動の大きさを計算し、計算結果を鑑賞者のコンテンツ（例えば音楽）に対する感度の指標として用いる。呼吸周期の変動の大きさは、例えば、(1)最大の平均呼吸周期から最小の平均呼吸周期を割る(つまり、最大の平均呼吸周期と最小平均呼吸周期との比)、または、(2)割るのではなく引き算する（つまり、最大の平均呼吸周期と最小の平均呼吸周期との差分）、または、(3)N個の平均呼吸周期の分散を求める、などで計算できる。上述の比、差分、分散が大きいほど呼吸周期の変動が大きいと判断する。
【００５８】
また、別の例として、コンテンツを再生していない状態で、呼吸計測部１３において呼吸状態を計測し、それによって得られる呼吸情報から、呼吸指標抽出部１４において呼吸周期を得、記憶部２に格納しておく。これを鑑賞者の安静時の呼吸周期とする。安静時の平均呼吸周期からの変化率((第n呼吸分布付きコンテンツ１２ａ−ｎのコンテンツを鑑賞している状態の平均呼吸周期)/(安静時の平均呼吸周期))を呼吸周期の変動の大きさとして用いてもよい。なお、図５は安静時の平均呼吸周期からの変化率を表示している。
【００５９】
呼吸感度測定部４は、対象とする鑑賞者の音楽に対する感度の指標値(感度指標)を出力する。
【００６０】
［制御部１９］
制御部１９は、例えば、ＣＰＵに所定のプログラムが読み込まれることで構成される処理部である。制御部１９は、影響評価装置の処理全体を制御する。例えば、入力された呼吸分布付きコンテンツ１２ａから呼吸分布シフト作成部３によって生成されたN個の第n呼吸分布付きコンテンツ１２ａ−ｎを記憶部１２に記憶する。次に、その中の任意の第n呼吸分布付きコンテンツ１２ａ−ｎを選択し、そのデータに基づき当該影響評価装置によりコンテンツの再生を行いつつ、そのときの呼吸指標抽出部１４の出力を記憶部２に保存する。これを生成されたN個全ての呼吸分布付きコンテンツ１２ａ−ｎの再生が終了するまで行う。次に記憶部２に記憶されたデータを呼吸感度測定部４に送り、鑑賞者のコンテンツ（例えば音楽）に対する感度指標を出力する。以上の一連の処理全体を制御する。
【００６１】
なお、本発明で「再生」という場合は、前述した影響評価装置による再生を意味し、今後特に断りなく用いる。
【００６２】
＜方法＞
次に、図２を用いて本形態の影響評価方法を例示する。
【００６３】
まず、入力部１１に呼吸分布付きコンテンツ１２ａが入力される（ステップＳ１１）。
【００６４】
呼吸分布シフト作成部３は、呼吸分布付きコンテンツ１２ａを入力とし、呼吸分布付きコンテンツ１２ａに含まれる呼吸目標情報Φ(τ)に対し、N個のシフト操作量γnに応じてシフト操作を行い、N個の第n呼吸分布情報Φn(τ)を作成し（ステップＳ１１−２）、呼吸分布付きコンテンツ１２ａに含まれる同じコンテンツ情報にひも付け、N個の第n呼吸分布付きコンテンツ１２ａ−ｎを作成し、記憶部１２に格納する（ステップＳ１２）。
【００６５】
制御部１９が第n呼吸分布付きコンテンツ１２ａ−ｎを選択する(ステップＳ１２−２)。
【００６６】
第n呼吸分布付きコンテンツ１２ａ−ｎのコンテンツを鑑賞している鑑賞者１００に取り付けられた呼吸計測部１３が周期Tで鑑賞者１００の呼吸状態を計測し、それによって得られた呼吸情報である呼吸レベルV(t1), V(t1-1), V(t1-2),...を出力する（ステップＳ１３）。呼吸レベルV(t1), V(t1-1), V(t1-2),...は呼吸指標抽出部１４に入力され、呼吸指標抽出部１４は、鑑賞者を計測して得られる呼吸情報(呼吸レベル)から当該鑑賞者の周期的な呼吸運動の位相に対応する情報である呼吸指標φ(t)を抽出し（ステップＳ１４）、当該呼吸指標を出力する。また、呼吸指標抽出部１４は、呼吸レベルV(t)または呼吸指標φ(t)を用いて鑑賞者の呼吸周期を算出し、呼吸周期を記憶部２に格納する（ステップＳ１４−２）。次に、制御部１９が、必要時刻までの呼吸レベルが計測されたか否かを判定する（ステップＳ１４−３）。Ｎｏの場合はステップＳ１３の処理に戻り、Ｙｅｓの場合には以下のステップＳ１５に進む。
【００６７】
必要時刻までの呼吸レベルが計測されたと判定された場合、再生速度演算部１５は、呼吸指標φ(t1)と第n呼吸分布情報Φn(p(t1))とを入力とし、式(4）-(6）に従ってサンプル更新間隔S(t1)を算出し、これを再生速度情報として出力する（ステップＳ１５）。
【００６８】
コンテンツ再生制御部１６は、再生速度演算部１５から出力されたサンプル更新間隔S(t1)と、記憶部１２に格納された第n呼吸分布付きコンテンツ１２ａ−ｎから抽出されたコンテンツ情報d(τ)とを入力とし、サンプル更新間隔S(t1)で再生対象のサンプル点τを更新しつつ再生対象のサンプル点τに対応するコンテンツ情報d(τ)を再生するための再生情報r(τ)を順次出力する（ステップＳ１６）。
【００６９】
再生部１７は、コンテンツ再生制御部１６から出力された再生情報r(τ)を入力とし、再生情報r(τ)によって特定されるコンテンツを出力する（ステップＳ１７）。
【００７０】
次に、呼吸計測部１３が新たな呼吸レベルV(t1+1)を計測する時刻t=t1+1であるか否かを判定する（ステップＳ１８）。ここで、新たな呼吸レベルV(t1+1)を計測する時刻t=t1+1でないと判定された場合、ステップＳ１６の処理に戻される。一方、新たな呼吸レベルV(t1+1)を計測する時刻t=t1+1であると判定された場合、次に、制御部１９が、第n呼吸分布付きコンテンツ１２ａ−ｎが含むすべてのコンテンツ情報d(τ)の再生が終了したか否かを判定する（ステップＳ１９）。
【００７１】
ここで、すべてのコンテンツ情報d(τ)の再生が終了していないと判定された場合、t1+1を新たなt1としてステップＳ１３の処理に戻される。一方、コンテンツ情報d(τ)の再生が終了していると判定された場合、制御部１９は、N個すべての第n呼吸分布付きコンテンツ１２ａ−ｎについての再生が終了したか否かを判定する（ステップＳ２０）。
【００７２】
ここで、N個すべての第n呼吸分布付きコンテンツ１２ａ−ｎの再生が終了していないと判定された場合、ステップＳ１２−２に戻り、制御部１９がN個の第n呼吸分布付きコンテンツ１２ａ−ｎの中からまだ選択されていない第n呼吸分布付きコンテンツ１２ａ−ｎを選択する(ステップＳ１２−２)。一方、N個の呼吸分布付きコンテンツ１２ａ−ｎの再生が終了していると判定された場合、呼吸感度測定部４は、記憶部２よりN個の第n呼吸分布付きコンテンツ１２ａ−ｎを再生した際の呼吸周期を取り出し、第n呼吸分布付きコンテンツ１２ａ−ｎ毎に平均呼吸周期を求め、平均呼吸周期の変動の大きさを鑑賞者１００のコンテンツ情報に対する感度の指標として求め、出力し（ステップＳ２１）、処理が終了する。
【００７３】
＜効果＞
第一実施形態によれば、シフト操作によって作成された複数の呼吸分布付きコンテンツを再生した際の平均呼吸周期の変動の大きさを見ることによって、鑑賞者のコンテンツに対する感度を評価することが出来る。
【００７４】
〔第一実施形態の変形例１〕
第一実施形態では、呼吸レベルV(t)を１次元値にとり、その遅延値V(t-γ)を２次元値にとる相空間表現を用いる例を示した。しかし、第一実施形態においてその他の相空間表現を用いてもよい。例えば、呼吸レベルV(t)を１次元値にとり、V(t)のヒルベルト変換値（一般的に解析信号と呼ばれる）を２次元値にとる相空間での位相を特定する情報を呼吸指標としてもよい（例えば、「K. Kotani, K. Takamasu, Y. Jimbo, Y. Yamamoto, “Postural-induced phase shift of respiratory sinus arrhythmia and blood pressure variations: insight from respiratory-phase domain analysis,” Am. J. Physiol. Heart. Circ. Physiol. , Vol. 294, pp. H1481-H1489, 2008」参照）。また、呼吸レベルV(t)の微分値W(t)が得られる場合には、呼吸レベルV(t)を１次元値にとり、呼吸レベルV(t)の微分値W(t)を２次元値にとってもよい。また、呼吸レベルV(t)の微分値W(t)が得られない場合には、呼吸レベルV(t)を差分フィルターに通した擬似的な微分値（例えばV(t)-V(t-1)）/T）を２次元目にとってもよい（例えば、日本光電製のTR-712を用いるとW(t)に相当する値を計測することができる）。
【００７５】
〔第一実施形態の変形例２〕
また、呼吸分布付きコンテンツが同期重要度α(τ)を含まない構成であってもよい。この場合には、同期重要度α(τ)を予め定められた値（例えば１）とみなした第一実施形態と同様な処理がなされればよい。
【００７６】
〔第一実施形態のその他の変形例〕
本実施形態では、記憶部２と、入力部１１と、呼吸分布シフト作成部３と、記憶部１２と、呼吸計測部１３と、呼吸指標抽出部１４と、再生速度演算部１５と、コンテンツ再生制御部１６と、再生部１７と、制御部１９と、呼吸感度測定部４とを含む構成としているが、影響評価装置は、記憶部２及び記憶部１２の少なくとも何れか１つを、例えば、ハードディスクや光ディスクもしくはフラッシュメモリ（Flash Memory）のような半導体メモリ素子により構成される補助記憶装置を用いて、影響評価装置の外部に備える構成としてもよい。
【００７７】
また、呼吸計測部１３及び再生部１７の少なくとも何れか１つを、影響評価装置の外部に備える構成としてもよい。
【００７８】
また、影響評価装置は、呼吸指標抽出部１４及び再生速度演算部１５を含まない構成としてもよい。この場合、再生速度を変えずにコンテンツを再生する。このような構成であっても、シフト操作によって作成された複数の呼吸分布付きコンテンツを再生した際の平均呼吸周期の変動の大きさを見ることによって、鑑賞者のコンテンツに対する感度を評価することが出来る。この場合、記憶部２には、呼吸周期に代えて、呼吸情報(呼吸レベル)を保存し、呼吸感度測定部４において、呼吸情報(呼吸レベル)から呼吸周期、さらに、平均呼吸周期を算出すればよい。
【００７９】
＜第二実施形態＞
第一実施形態と異なる部分を中心に説明する。
【００８０】
本実施形態では音楽に対する感度指標を計算するのではなく、鑑賞者の呼吸が最も影響を受けた呼吸分布付きコンテンツを特定することを可能とする。
【００８１】
図６は第二実施形態に係る影響評価装置の機能ブロック図を、図７はその処理フローを示す。影響評価装置は、記憶部２と、入力部１１と、呼吸分布シフト作成部３と、記憶部１２と、呼吸計測部１３と、呼吸指標抽出部１４と、再生速度演算部１５と、コンテンツ再生制御部１６と、再生部１７と、制御部１９と、呼吸分布選定部５とを含む。
【００８２】
影響評価装置は、鑑賞者にコンテンツを再生して提示し、コンテンツを鑑賞している鑑賞者から得られる呼吸に関する情報と、呼吸分布付きコンテンツとを入力とし、N個の第n呼吸分布付きコンテンツを作成し、N個の第n呼吸分布付きコンテンツのうちの何れが最も鑑賞者に影響を与えるかを評価し、最も鑑賞者に影響を与える第n呼吸分布付きコンテンツに対応する値(インデックスnやシフト操作量γn)を出力する。
【００８３】
第二実施形態でも、入力部１１、及び、呼吸分布シフト作成部３による処理を事前に１回行って、呼吸分布シフト作成部３の出力を記憶部１２に記憶しておけばよい。
【００８４】
[呼吸分布選定部５]
呼吸分布選定部５は、記憶部２よりN個の第n呼吸分布付きコンテンツ１２ａ−ｎを再生した際の呼吸周期を取り出し、第n呼吸分布付きコンテンツ１２ａ−ｎ毎に呼吸周期の平均(平均呼吸周期)を求める。呼吸分布選定部５は、最大または最小の平均呼吸周期となる第n呼吸分布付きコンテンツ１２ａ−ｎに対応する値を求め、出力する。なお、最大または最小の平均呼吸周期となる第n呼吸分布付きコンテンツ１２ａ−ｎが、最も鑑賞者に影響を与える第n呼吸分布付きコンテンツに相当する。
【００８５】
呼吸分布選定部５は、後述する制御部１９から、平均呼吸周期を長くするシフト操作量を求めたいか、短くするシフト操作量を求めたいかを示す識別情報の入力を受け付け、識別情報に該当する方の第n呼吸分布付きコンテンツ１２ａ−ｎに対応する値を出力するようにしてもよい。
【００８６】
［制御部１９]
制御部１９は、第一実施形態と以下の点を除き、第一実施形態と同様の制御を行う。
【００８７】
制御部１９は、記憶部２から呼吸周期を呼吸分布選定部５に送り、呼吸分布選定部５が平均呼吸周期を長くする（短くする）第n呼吸分布付きコンテンツ１２ａ−ｎに対応する値を出力するように制御する。このような構成により、鑑賞者にとって平均呼吸周期を長くする（短くする）呼吸分布付きコンテンツを特定可能とする。
【００８８】
制御部１９は、平均呼吸周期を長くするシフト操作量を求めたいか、短くするシフト操作量を求めたいかという入力を受け付け、入力された方に該当する第n呼吸分布付きコンテンツ１２ａ−ｎに対応する値を出力する構成としてもよい。なお、この場合には、制御部１９は、出力する第n呼吸分布付きコンテンツ１２ａ−ｎに対応する値に関する識別情報を呼吸分布選定部５に対して出力する。
【００８９】
または、制御部１９は、入力は受け付けずに、予め定められた最大(及び／または最小)の平均呼吸周期となった第n呼吸分布付きコンテンツ１２ａ−ｎに対応する値を出力するよう制御してもよい。
【００９０】
＜方法＞
次に、図７を用いて本形態の影響評価方法を例示する。第一実施形態とは以下の点で異なる。
【００９１】
制御部１９は、N個すべての第n呼吸分布付きコンテンツ１２ａ−ｎについての再生が終了した後（ステップＳ２０）、呼吸分布選定部５は、記憶部２よりN個の第n呼吸分布付きコンテンツ１２ａ−ｎを再生した際の呼吸周期を取り出し、第n呼吸分布付きコンテンツ１２ａ−ｎ毎に平均呼吸周期を求め、最大または最小の平均呼吸周期となる第n呼吸分布付きコンテンツ１２ａ−ｎに対応する値(インデックスnやシフト操作量γn)を求め、出力し（ステップＳ２２）、処理が終了する。
【００９２】
＜効果＞
第二実施形態によれば、鑑賞者の平均呼吸周期を長く、あるいは短くすることの出来る呼吸分布付きコンテンツを選択することを可能とする。なお、本実施形態と第一実施形態及びその変形例とを組合せてもよい。例えば、本実施形態と第一実施形態とを組み合せ、感度指標と最も鑑賞者に影響を与える第n呼吸分布付きコンテンツに対応する値とを求め、出力する構成としてもよい。
【００９３】
＜実験結果＞
図５に実際の適用例を示す。この実験では入力された元々の呼吸分布付きコンテンツ１２ａが再生速度の修正を行わずに再生すると6秒周期であり、呼吸分布シフト作成部３ではN=6とし、シフト操作量γnが0秒,1秒,2秒,3秒,4秒,5秒に相当するように(言い換えると、シフト操作量をコンテンツ情報を再生速度の修正なく再生(ふつうに再生)した場合に0,1,…,5秒進む(τのサンプル数)分に相当する量となるように)新たな第n呼吸分布付きコンテンツ１２ａ−ｎを作成し、それぞれをランダムな順番で被験者に聞かせた。その際の平均呼吸周期の変化を安静時の平均呼吸周期からの変化率として表示している。また最大の平均呼吸周期を最小の平均呼吸周期で割った変動の大きさも載せている。図５ではシフト操作量を変えたことに対する被験者a,dの平均呼吸周期の変動が大きく、鑑賞者の音楽に対する感度が高いと評価できる。なお、この評価結果は第一実施形態に対応する。
【００９４】
また被験者aではシフト操作量が２秒のときに最大（5秒の時の最小）の平均呼吸周期になっていることがわかる。この評価結果は第二実施形態に対応する。
【００９５】
従って被験者aの呼吸をゆっくりさせたい場合はシフト操作量を2秒として作成した第n呼吸分布付きコンテンツ１２ａ−ｎを用いて再生を行えば平均呼吸周期を長く誘導することが出来る。なお、この誘導処理は、後述する第三実施形態に対応する。
【００９６】
＜第三実施形態＞
第一実施形態と異なる部分を中心に説明する。
【００９７】
本実施形態では鑑賞者のコンテンツ（例えば音楽）に対する呼吸変化の癖に合わせてN個の呼吸分布付きコンテンツ１２ａ−ｎから１つを選択し、再生することによって鑑賞者の平均呼吸周期を長く（短く）誘導することを可能とする。
【００９８】
図８は第三実施形態に係る影響評価装置の機能ブロック図を、図９はその処理フローを示す。影響評価装置は、記憶部２と、入力部１１と、呼吸分布シフト作成部３と、記憶部１２と、呼吸計測部１３と、呼吸指標抽出部１４と、再生速度演算部１５と、コンテンツ再生制御部１６と、再生部１７とを含む。なお、記憶部２と呼吸感度測定部４とは含まない。
【００９９】
影響評価装置は、第二実施形態を事前に行い、鑑賞者の識別情報と、当該鑑賞者が呼吸周期を長くする第n呼吸分布付きコンテンツ１２ａ−ｎに対応するシフト操作量と、当該鑑賞者が呼吸周期を短くする第n呼吸分布付きコンテンツ１２ａ−ｎに対応するシフト操作量とをそれぞれ関連付けて、図示しない記憶部に記憶する。
【０１００】
影響評価装置は、コンテンツを鑑賞している鑑賞者から得られる呼吸に関する情報と、平均呼吸周期を長くするシフト操作量を求めたいか、短くするシフト操作量を求めたいかを示す識別情報とを入力とし、呼吸分布付きコンテンツ１２ａに対し、識別情報に対応するシフト操作量でシフト操作を行い、あらたな呼吸分布情報Φm(τ)を作成し、呼吸分布付きコンテンツ１２ａに含まれる同じコンテンツ情報にひも付け、再生する。
【０１０１】
[呼吸分布シフト作成部３]
呼吸分布シフト作成部３は、呼吸分布付きコンテンツとシフト操作量が入力されると、呼吸分布付きコンテンツ１２ａの第１呼吸目標情報に対し、シフト操作量に応じてシフト操作を行い（詳細は第一実施形態と同じ）、第m呼吸分布情報を作成し、呼吸分布付きコンテンツ１２ａのコンテンツ情報と対応付けて、第m呼吸分布付きコンテンツ１２ａ−ｍを作成し、記憶部１２に出力する。このシフト操作量は第二実施形態により、当該呼吸分布付きコンテンツ１２ａを再生した際に予め平均呼吸周期を長くする、あるいは短くすると判明しているシフト操作量であり、呼吸分布シフト作成部３は、図示しない記憶部から平均呼吸周期を長くする、あるいは短くすると判明しているシフト操作量を読み込む。
【０１０２】
[制御部１９]
制御部１９は、例えば、入力された呼吸分布付きコンテンツ１２ａから呼吸分布シフト作成部３によって生成された1個の第m呼吸分布付きコンテンツ１２ａ−ｍを記憶部１２に記憶する。制御部１９は、この第m呼吸分布付きコンテンツ１２ａ−ｍに基づき当該影響評価装置によりコンテンツの再生を行う。
【０１０３】
制御部１９は、平均呼吸周期を長くするシフト操作量を求めたいか、短くするシフト操作量を求めたいかという入力を受け付け、入力された方に該当するシフト操作量の第m呼吸分布付きコンテンツ１２ａ−ｍを再生するように、制御する。
【０１０４】
＜方法＞
次に、図２を用いて本形態の影響評価方法を例示する。
【０１０５】
まず、入力部１１に呼吸分布付きコンテンツ１２ａが入力される（ステップＳ３１）。
【０１０６】
呼吸分布シフト作成部３は、呼吸分布付きコンテンツ１２ａと平均呼吸周期を長くするシフト操作量を求めたいか、短くするシフト操作量を求めたいかを示す識別情報とを入力とし、識別情報に対応するシフト操作量γmを図示しない記憶部から読み込み、呼吸分布付きコンテンツ１２ａに含まれる呼吸目標情報Φ(τ)に対し、識別情報に対応するシフト操作量γmに応じてシフト操作を行い、第m呼吸分布情報Φm(τ)を作成し（ステップＳ３１−２）、呼吸分布付きコンテンツ１２ａに含まれる同じコンテンツ情報にひも付け、第m呼吸分布付きコンテンツ１２ａ−ｍを作成し、記憶部１２に格納する（ステップＳ３２）。
【０１０７】
第m呼吸分布付きコンテンツ１２ａ−ｍのコンテンツを鑑賞している鑑賞者１００に取り付けられた呼吸計測部１３が周期Tで鑑賞者１００の呼吸状態を計測し、それによって得られた呼吸情報である呼吸レベルV(t1), V(t1-1), V(t1-2),...を出力する（ステップＳ３３）。呼吸レベルV(t1), V(t1-1), V(t1-2),...は呼吸指標抽出部１４に入力され、呼吸指標抽出部１４は、鑑賞者を計測して得られる呼吸情報から当該鑑賞者の周期的な呼吸運動の位相に対応する情報である呼吸指標φ(t)を抽出し（ステップＳ３４）、当該呼吸指標を出力する。次に、制御部１９が、必要時刻までの呼吸レベルが計測されたか否かを判定する（ステップＳ３４−３）。Ｎｏの場合はステップＳ３３の処理に戻り、Ｙｅｓの場合には以下のステップＳ３５に進む。
【０１０８】
必要時刻までの呼吸レベルが計測されたと判定された場合、再生速度演算部１５は、呼吸指標φ(t1)と呼吸分布情報Φn(p(t1))とを入力とし、式(4）-(6）に従ってサンプル更新間隔S(t1)を算出し、これを再生速度情報として出力する（ステップＳ３５）。
【０１０９】
コンテンツ再生制御部１６は、再生速度演算部１５から出力されたサンプル更新間隔S(t1)と、記憶部１２に格納された第m呼吸分布付きコンテンツ１２ａ−ｍから抽出されたコンテンツ情報d(τ)とを入力とし、サンプル更新間隔S(t1)で再生対象のサンプル点τを更新しつつ再生対象のサンプル点τに対応するコンテンツ情報d(τ)を再生するための再生情報r(τ)を順次出力する（ステップＳ３６）。
【０１１０】
再生部１７は、コンテンツ再生制御部１６から出力された再生情報r(τ)を入力とし、再生情報r(τ)によって特定されるコンテンツを出力する（ステップＳ３７）。
【０１１１】
次に、呼吸計測部１３が新たな呼吸レベルV(t1+1)を計測する時刻t=t1+1であるか否かを判定する（ステップＳ３８）。ここで、新たな呼吸レベルV(t1+1)を計測する時刻t=t1+1でないと判定された場合、ステップＳ３６の処理に戻される。一方、新たな呼吸レベルV(t1+1)を計測する時刻t=t1+1であると判定された場合、次に、制御部１９が、第m呼吸分布付きコンテンツ１２ａ−ｍが含むすべてのコンテンツ情報d(τ)の再生が終了したか否かを判定する（ステップＳ３９）。
【０１１２】
ここで、すべてのコンテンツ情報d(τ)の再生が終了していないと判定された場合、t1+1を新たなt1としてステップＳ３３の処理に戻される。一方、コンテンツ情報d(τ)の再生が終了していると判定された場合、処理が終了する。
【０１１３】
＜効果＞
第三実施形態によれば、識別情報に対応する第m呼吸分布付きコンテンツを再生することにより、鑑賞者の呼吸周期を長くしたり、短くしたりすることが出来る。この観点から、本実施形態に係る影響評価装置を呼吸誘導装置ともいう。なお、本実施形態と第一実施形態の変形例とを組合せてもよい。
【０１１４】
〔第三実施形態の変形例１〕
鑑賞者が１人の場合で説明したが、鑑賞者ごとに制御を行ってもよい。
【０１１５】
影響評価装置は、複数の鑑賞者に対して第二実施形態を事前に行い、鑑賞者の識別子と、平均呼吸周期を長くするシフト操作量を求めたいか、短くするシフト操作量を求めたいかを示す識別情報と、当該鑑賞者が呼吸周期を長くする第n呼吸分布付きコンテンツ１２ａ−ｎに対応するシフト操作量と、当該鑑賞者が呼吸周期を短くする第n呼吸分布付きコンテンツ１２ａ−ｎに対応するシフト操作量とを関連付けて、鑑賞者毎に図示しない記憶部に記憶する。
【０１１６】
例えば、制御部１９は、鑑賞者を識別するためのIDの入力も受け付けて呼吸分布シフト作成部３に渡し、呼吸分布シフト作成部３が入力された鑑賞者のIDと、平均呼吸周期を長くするシフト操作量を求めたいか、短くするシフト操作量を求めたいかを示す識別情報とに基づいて図示しない記憶部から該当する鑑賞者に関する、識別情報に対応するシフト操作量の情報を読み込むように制御する。
【０１１７】
＜第四実施形態＞
第三実施形態と異なる部分を中心に説明する。本実施形態では、第二実施形態と第三実施形態の連携動作させることで、シフト操作量を微調節し、効果の高い呼吸分布付きコンテンツを常に探す。
【０１１８】
図１０は第四実施形態に係る影響評価装置の機能ブロック図を、図１１はその処理フローを示す。影響評価装置は、記憶部２と、入力部１１と、呼吸分布シフト作成部４３と、記憶部１２と、呼吸計測部１３と、呼吸指標抽出部１４と、再生速度演算部１５と、コンテンツ再生制御部１６と、再生部１７と、制御部１９と、呼吸分布選定部５とを含む。
【０１１９】
影響評価装置は、一度、第二実施形態を実行し、呼吸分布選定部５の出力(最も鑑賞者に影響を与える第n呼吸分布付きコンテンツに対応する値)を呼吸分布シフト作成部４３の入力とする。
【０１２０】
影響評価装置は、鑑賞者にコンテンツを再生して提示し、コンテンツを鑑賞している鑑賞者から得られる呼吸に関する情報と、呼吸分布付きコンテンツとを入力とし、N個の第n呼吸分布付きコンテンツを作成し、N個の第n呼吸分布付きコンテンツのうちの何れが最も鑑賞者に影響を与えるかを評価し、最も鑑賞者に影響を与える第n呼吸分布付きコンテンツに対応する値(インデックスnやシフト操作量γn)を求め、そのシフト操作量γnを用いて、Mq個の第mq呼吸分布付きコンテンツを作成する。なお、mq=1q,2q,…,Mqであり、qは繰り返し回数を示すインデックスであり、Mqは1以上の整数の何れかである。Mqはqに応じて異なる値としてもよいし、同じ値としてもよい。
【０１２１】
さらに、Mq個の第mq呼吸分布付きコンテンツのうちの何れが最も鑑賞者に影響を与えるかを評価し、最も鑑賞者に影響を与える第mq呼吸分布付きコンテンツに対応する値(インデックスmqやシフト操作量γm_q)を求める。1つ前の繰り返し処理で得たシフト操作量γm_q-1を用いて、Mq個の第mq呼吸分布付きコンテンツを作成するという処理を繰り返す。
【０１２２】
［呼吸分布シフト作成部４３]
最も鑑賞者に影響を与える呼吸分布付きコンテンツに対応する値(呼吸分布選定部５の出力であり、例えば、インデックスn,mq-1やシフト操作量γn,γm_q)を入力として受け付けたか否かにより、2種類の動作を行う。
【０１２３】
まず、最も鑑賞者に影響を与える呼吸分布付きコンテンツに対応する値(呼吸分布選定部５の出力)を入力として受け付けない（例えば、初期動作の）場合、第二実施形態と同じ動作を行う。
【０１２４】
最も鑑賞者に影響を与える第mq-1呼吸分布付きコンテンツ(ただし、最も鑑賞者に影響を与える第m0呼吸分布付きコンテンツとして、最も鑑賞者に影響を与える第n呼吸分布付きコンテンツを利用する)に対応する値を入力として受け付けた場合、第１呼吸目標情報Φ(τ)に対し、最大または最小の平均呼吸周期となる第mq-1呼吸分布付きコンテンツ１２ａ−ｍq-1に対応するシフト操作量γm_q-1の近傍のMq個の値をシフト操作量γm_qとしてシフト操作を行い、Mq個の新たな第mq呼吸分布情報を作成し、呼吸分布付きコンテンツ１２ａに含まれる同じコンテンツ情報と対応付けて、Mq個の第mq呼吸分布付きコンテンツ１２ａ−ｍqを作成し、記憶部１２に格納する。入力されたシフト操作量をγn'とすると、シフト操作量γn'の近傍の値は、利用状況に応じて適宜設定すればよい。例えば、シフト操作量γn'に対応する呼吸分布付きコンテンツを選択する際に、シフト操作量γn'に隣接するシフト操作量γn'-1、γn'+1、に挟まれた範囲をシフト操作量γn'の近傍と定義する。ただし、このような範囲に限定されるものではない。
【０１２５】
例えばMq=3、入力されたシフト操作量がγ’であれば、Aを定数として、新たな第mq呼吸分布情報をΦ1_q(τ)=Φ(τ-γ’-A)、Φ2_q(τ)=Φ(τ-γ’)、Φ3_q(τ)=Φ(τ-γ’+A)のように作成する。このAの値は、Aの値によるシフト操作の変化に鑑賞者が即座に気づかない程度の値がよく、例えば0.1[s] 程度に相当する量である。
【０１２６】
また、Aの値をシフト操作量の入力があるたびに少しずつ小さい値（例えば、前回処理の1/2程度の値）にしても良い。
【０１２７】
［制御部１９］
制御部１９は、呼吸分布選定部５が最初にシフト操作量を出力するまでは第二実施形態と同じ動作を行うように制御する（ステップＳ２００）。
【０１２８】
その後も、制御部１９は、N個の第n呼吸分布付きコンテンツ１２ａ−ｎに代えて、M個の第m呼吸分布付きコンテンツ１２ａ−ｍを用いて、第二実施形態と同様の処理を繰り返すように制御する。このような構成により、シフト操作量を微調節していく。
【０１２９】
＜方法＞
次に、図１１を用いて本形態の影響評価方法を例示する。第二実施形態とは以下の点で異なる。
【０１３０】
まず、第二実施形態の処理を実行し、呼吸分布選定部５の出力(最も鑑賞者に影響を与える第n呼吸分布付きコンテンツに対応する値)を呼吸分布シフト作成部４３の入力とする（ステップＳ２００）。
【０１３１】
次に、N個の第n呼吸分布付きコンテンツ１２ａ−ｎに代えて、Mq個の第mq呼吸分布付きコンテンツ１２ａ−ｍqを用いて、第二実施形態の処理と同様の処理を行う。ただし、この場合も、呼吸分布選定部５の出力(最も鑑賞者に影響を与える第mq-1呼吸分布付きコンテンツに対応する値)を呼吸分布シフト作成部４３の入力とする。
【０１３２】
例えば、ステップＳ２００の後、以下のように処理を行う。
【０１３３】
呼吸分布シフト作成部４３は、呼吸分布付きコンテンツ１２ａと平均呼吸周期を長くするシフト操作量を求めたいか、短くするシフト操作量を求めたいかを示す識別情報とを入力とし、呼吸分布付きコンテンツ１２ａに含まれる呼吸目標情報Φ(τ)に対し、識別情報に対応する、最大または最小の平均呼吸周期となる第mq-1呼吸分布付きコンテンツ１２ａ−ｍq-1に対応するシフト操作量γm_q-1の近傍のMq個の値をシフト操作量γm_qとして、シフト操作を行い、Mq個の第mq呼吸分布情報Φm_q(τ)を作成し（ステップＳ４１−２）、呼吸分布付きコンテンツ１２ａに含まれる同じコンテンツ情報にひも付け、Mq個の第mq呼吸分布付きコンテンツ１２ａ−ｍqを作成し、記憶部１２に格納する（ステップＳ４２）。
【０１３４】
さらに、N個の第n呼吸分布付きコンテンツ１２ａ−ｎに代えて、Mq個の第mq呼吸分布付きコンテンツ１２ａ−ｍqを用いて、ステップＳ１２−２〜Ｓ２２を終了まで繰り返す。
【０１３５】
＜効果＞
第四実施形態によれば、より、鑑賞者の呼吸周期を長くしたり、短くしたりできる呼吸分布付きコンテンツを継続的に探すため、最適なシフト操作量を求めたり、鑑賞者側の変化に対応しながら呼吸周期の変化を生じさせることが出来る。この観点から、本実施形態に係る影響評価装置を呼吸誘導装置ともいう。なお、本実施形態と第一実施形態の変形例とを組合せてもよい。
【０１３６】
〔第四実施形態の変形例１〕
呼吸分布選定部５はN個の平均呼吸周期が求まった時点で呼吸分布シフト作成部４３に出力を行う説明を行ったが、これに限るものではない。複数（2種類以上）の呼吸分布付きコンテンツをそれぞれ再生した際の平均呼吸周期が得られた際、または所定の時間ごと（例えば、5〜10分程度の間隔）に、呼吸分布選定部５が処理を行い、呼吸分布シフト作成部４３で新たな呼吸分布付きコンテンツが出力されるようにしてもよい。
【０１３７】
〔第四実施形態の変形例２〕
また、平均呼吸周期を長くする、あるいは短くするシフト操作量は、時間と共に変化することがあり得るため、所定の時間ごと（例えば、３０分程度の間隔）に、呼吸分布シフト作成部４３で「最も鑑賞者に影響を与える呼吸分布付きコンテンツに対応する値を入力として受け付けない場合」の処理を行うようにしてもよい。つまり、所定の時間が経過する度に、第二実施形態の処理を実行し、繰り返し回数qを初期化し、処理を行う。
【０１３８】
＜その他の変形例＞
本発明は上記の実施形態及び変形例に限定されるものではない。例えば、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能である。
【０１３９】
＜プログラム及び記録媒体＞
また、上記の実施形態及び変形例で説明した各装置における各種の処理機能をコンピュータによって実現してもよい。その場合、各装置が有すべき機能の処理内容はプログラムによって記述される。そして、このプログラムをコンピュータで実行することにより、上記各装置における各種の処理機能がコンピュータ上で実現される。
【０１４０】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【０１４１】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させてもよい。
【０１４２】
このようなプログラムを実行するコンピュータは、例えば、まず、可搬型記録媒体に記録されたプログラムもしくはサーバコンピュータから転送されたプログラムを、一旦、自己の記憶部に格納する。そして、処理の実行時、このコンピュータは、自己の記憶部に格納されたプログラムを読み取り、読み取ったプログラムに従った処理を実行する。また、このプログラムの別の実施形態として、コンピュータが可搬型記録媒体から直接プログラムを読み取り、そのプログラムに従った処理を実行することとしてもよい。さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、プログラムには、電子計算機による処理の用に供する情報であってプログラムに準ずるもの（コンピュータに対する直接の指令ではないがコンピュータの処理を規定する性質を有するデータ等）を含むものとする。
【０１４３】
また、コンピュータ上で所定のプログラムを実行させることにより、各装置を構成することとしたが、これらの処理内容の少なくとも一部をハードウェア的に実現することとしてもよい。
【図１】
2019105689.tif 000003
【図２】
2019105689.tif 000004
【図３】
2019105689.tif 000005
【図４】
2019105689.tif 000006
【図５】
2019105689.tif 000007
【図６】
2019105689.tif 000008
【図７】
2019105689.tif 000009
【図８】
2019105689.tif 000010
【図９】
2019105689.tif 000011
【図１０】
2019105689.tif 000012
【図１１】
2019105689.tif 000013